(57)【要約】【課題】全体映像の一部分を再生する機能を有する放送受信装置において、再生中の映像にメニューやバナー等が重なり合わないように、映像領域の画角を変更する。【解決手段】放送受信装置は、表示対象とされる第一の映像と、該映像に対して合成されるバナー等の第二の映像を表示部１０７に表示する。領域変更部１０６は制御部１０８の指示に従って、第一の映像を含む領域を変更する。表示部１０７によって第二の映像を第一の映像とともに表示する際、第二の映像が第一の映像と重ならないように、制御部１０８は第一の映像を含む領域の変更を領域変更部１０６に指示する。これにより第二の映像が第一の映像に重なることで隠れてしまう映像部分を視聴者が見逃さないように防止できる。【選択図】  図１
2010245863.tif 000002
【特許請求の範囲】
【請求項１】
表示対象とされる第一の映像と、該第一の映像に対して合成される第二の映像を表示手段に表示する放送受信装置であって、
前記第一の映像を含む領域を変更する領域変更手段と、
前記第二の映像を前記第一の映像とともに表示する際、前記第二の映像が前記第一の映像と重ならないように、前記第一の映像を含む領域の変更を前記領域変更手段に指示する制御手段を具備することを特徴とする放送受信装置。
【請求項２】
前記制御手段は、映像の一部分を含む部分領域に係る情報を取得し、前記第二の映像を表示する際、前記部分領域の映像と前記第二の映像とが重ならないように、前記部分領域の映像を含む領域の変更を前記領域変更手段に指示することを特徴とする、請求項１に記載の放送受信装置。
【請求項３】
前記第二の映像としてバナー又はメニューを表示するための描画手段を備えることを特徴とする請求項１又は２に記載の放送受信装置。
【請求項４】
前記制御手段は、前記第二の映像を表示する際、前記第一の映像を含み、且つ映像の無い領域を含まないように、前記領域の変更を前記領域変更手段に指示することを特徴とする、請求項１から３のいずれか１項に記載の放送受信装置。
【請求項５】
前記制御手段は、前記第一の映像を含む領域の変更を前記領域変更手段に指示するとともに、変更前の領域を示す情報を記憶手段に記憶させ、前記第二の映像を非表示にする際、前記記憶手段に記憶しておいた情報の示す領域に前記第一の映像を表示させるよう前記領域変更手段に指示することを特徴とする、請求項１から４のいずれか１項に記載の放送受信装置。
【請求項６】
前記第一の映像の全体を含む全体領域及び前記部分領域を示す情報を取得する情報取得手段をさらに備え、
前記制御手段は、前記第二の映像を非表示にする際、前記情報取得手段が取得した情報に応じた部分領域へと、前記第一の映像を含む領域を変更するよう前記領域変更手段に指示することを特徴とする、請求項２から５のいずれか１項に記載の放送受信装置。
【請求項７】
前記制御手段は、前記第二の映像の表示中に、前記第一の映像を含む領域がユーザの操作指示に従って変更された場合、前記第二の映像を非表示にする際、前記第一の映像を含む領域の変更を指示しないことを特徴とする、請求項１から６のいずれか１項に記載の放送受信装置。
【請求項８】
表示対象とされる第一の映像と、該第一の映像に対して合成される第二の映像を表示することが可能な放送受信装置の制御方法であって、
前記第二の映像を前記第一の映像とともに表示する際、前記第二の映像が前記第一の映像と重ならないように、前記第一の映像を含む領域を変更して表示することを特徴とする放送受信装置の制御方法。
【発明の詳細な説明】
【技術分野】
【０００１】
本発明は、映像の一部を再生できる任意視点放送（広画角放送）の受信装置及びその制御方法であって、バナーやメニュー等を映像と同時に表示する技術に関するものである。
【背景技術】
【０００２】
近年、放送及び光ディスク等の映像については、ＳＤ規格の720*480ピクセル程度から1920*1080ピクセルへと高精細化が進んでいる。さらには次世代放送の高度衛星デジタル放送規格では7680*4320ピクセルの映像が予定されている。そこで、高精細な映像の全領域（以後、全体領域という）の一部分を成す映像の領域（以後、部分領域という）を随時に拡大表示できる機能が求められている。例えば制作者や、時にはユーザにとって重要な映像を、ユーザの操作指示に従って拡大して表示させる再生装置が提案されている。
携帯端末装置のように表示領域が比較的小さい再生装置でも大きな被写体の映像をユーザが楽しめるように配慮することが求められる。そこで、製作者が特に重要と考える部分領域を、メタ情報として映像に多重化し、ユーザ操作によってその部分領域を再生する方法が検討されている。一方、操作用表示情報が表示装置の表示領域に表示された場合には、操作用表示情報と、受信した情報の表示用信号に応じた映像とが重なり合わないように、後者の表示用信号に応じて映像を縮小化する技術が知られている（特許文献１参照）。
【先行技術文献】
【特許文献】
【０００３】
【特許文献１】特開２００５−１５１３７８号公報
【発明の概要】
【発明が解決しようとする課題】
【０００４】
表示画面上にメニューやバナー等を表示する場合、これらを単純に再生中の映像の一部分に重ねる方法では、重なり合った部分の映像が見えなくなってしまう場合が生じるという問題がある。また特許文献１のように、重なり合いが生じないように再生中の映像を縮小したのでは、表示領域の一部に何も表示できない部分が発生してしまうという問題が残る。
そこで、本発明は全映像の一部分を再生表示する機能を有する放送受信装置において、映像にメニューやバナー等が重なり合わないよう、映像の領域を変更する装置及び制御方法の提供を目的とする。
【課題を解決するための手段】
【０００５】
本発明は前記課題を解決するために、表示対象とされる第一の映像と、該第一の映像に対して合成される第二の映像を表示手段に表示する放送受信装置であって、前記第一の映像を含む領域を変更する領域変更手段と、前記第二の映像を前記第一の映像とともに表示する際、前記第二の映像が前記第一の映像と重ならないように、前記第一の映像を含む領域の変更を前記領域変更手段に指示する制御手段を具備する。
【発明の効果】
【０００６】
本発明によれば、前記第二の映像を前記第一の映像と合成して表示した場合であっても、前記第二の映像が表示中の映像に重なり合わないように、映像の領域を変えることで、ユーザが重要な映像を見逃さないように防止できる。
【図面の簡単な説明】
【０００７】
【図１】図２乃至６と併せて本発明の第１実施形態に係る放送受信装置を説明するために、該装置の構成例を示すブロック図である。
【図２】コンポーネント種別で定義される情報テーブルを例示した図である。
【図３】全体領域の映像例を（ａ）に示し、部分領域の映像例を（ｂ）に示した図である。
【図４】バナーの表示例を（ａ）に示し、従来の方法で映像とバナーを合成した表示例を（ｂ）に示した図である。
【図５】制御の流れを例示したフローチャート図である。
【図６】領域変更後の映像例を（ａ）に示し、映像とバナーを合成した表示例を（ｂ）に示した図である。
【図７】図８及び図９と併せて本発明の第２実施形態に係る放送受信装置を説明するために、制御の流れを例示したフローチャート図である。
【図８】全体領域の映像例を（ａ）に示し、映像の無い領域をもった部分領域の映像例を（ｂ）に示し、映像とバナーの合成例を（ｃ）に示した図である。
【図９】映像の欠落がない部分領域の映像例を（ａ）に示し、映像とバナーの合成例を（ｂ）に示した図である。
【発明を実施するための形態】
【０００８】
以下、本発明の実施形態について、図面を参照して説明する。図1は第１実施形態に係る放送受信装置の構成例を示すブロック図である。なお、高精細入力映像の一例として、アンテナから受信する高度衛星デジタル放送番組の視聴について説明する。また以下の説明において、受信した放送番組の映像全体の画素で表される領域を全体領域とする。さらに、放送番組に製作者が特に重要と考える部分領域は、推奨の画角（以下、おすすめ画角という）をもち、メタデータに多重化される。おすすめ画角については時間的な推移に応じて指定される領域が変化することがある。ユーザが重要と考えて表示している領域の画角をユーザ画角とする。ユーザ画角はリモートコントローラ（以下、リモコンという）等の操作手段を用いることで、装置に対して任意に指示できるものとする。
【０００９】
アンテナ１０１は、映像データ、音声データ、メタデータ等が多重化されてデジタル変調された、複数のデジタルテレビジョン放送信号を受信し、受信信号を情報入手部１０２に送出する。情報入手部１０２は、例えばユーザからの選局命令に従う制御部１０８の指示により、デジタルテレビジョン放送信号から任意の放送番組を選択する。そして情報入手部１０２は、復調及び誤り訂正処理等を行い、ＭＰＥＧ２−ＴＳ(Transport Stream:トランスポートストリーム)信号を信号分離部１０３に出力する。
信号分離部１０３は、ユーザが選局を行った放送番組のパケットＩＤに従って、多重化されたＭＰＥＧ２−ＴＳ信号から映像データ、メタデータを分離し、映像データを映像再生部１０４に送り、メタデータをメタデータ処理部１０５に送る。なお、多重化されたＭＰＥＧ２−ＴＳ信号には、音声データ及びデータ放送（マルチメディア）データを含む場合もあるが、図１ではその処理部の図示を省略する。
【００１０】
映像再生部１０４は、符号化された映像データの復号化を行い、処理後の信号を領域変更部１０６に送る。符号化には、例えばITU-T Rec. H.264 / ISO/IEC14496-10 MPEG-4 Part10 Advanced Video Codingが挙げられる。
情報取得手段としてのメタデータ処理部１０５は、信号分離部１０３でＭＰＥＧ２−ＴＳ信号のフィルタリングを行うための情報や、さらに映像の全体領域や部分領域の情報を、所定の記述子に基づいて抽出する。これらの情報は、例えばARIBのSTD-B10で規定されるPSI/SIテーブルに記述されるEIT、又はPMT内コンポーネント記述子のコンポーネント種別から抽出できる。なお、ARIBは「Association of Radio Industries and Businesses」（電波産業会）の略号である。また、PSI/SIは「Program Specific Information/Specific Information」の略号である。EITは「Event Information Table」、PMTは「Program Map Table」の略号である。
【００１１】
ここで、信号分離部１０３で分離した映像情報、及び全体領域と部分領域の情報について詳しく説明する。先ず、コンポーネント記述子の構造例を下記に示す。
【００１２】
component_descriptor(){
descriptor_tag
descriptor_length
reserved_future_use
stream_content
component_type
component_tag
ISO_639_language_code
for(i=0;i<N;I++){
text_char
}
}
【００１３】
コンポーネント種別を示す「component_type」では、8ビットのフィールドに全体領域の解像度情報を定義している。例えばコンポーネント種別の値が0x01の場合は480i、コンポーネント種別の値が0xB1の場合は1080iといった具合に、各番組の全体領域の情報が記述されている。図２には「component_type」によって定義される情報テーブルを例示しており、例えば、0xF3の場合は4320pの解像度でアスペクト比16:9の通常番組が定義されている。また0xF2の場合は4320pの解像度でアスペクト比16:9であって、さらに部分領域の情報（以下、部分領域情報という）を持つ放送番組が定義されている。制御部１０８は、メタデータ処理部１０５から記述子の情報を受け取ることで、対象の放送番組が部分領域情報を持つ番組であるか否かを判別することができる。
【００１４】
さらに、部分領域情報をコンポーネント記述子で定義して再生する方法について説明する。前記部分領域情報を持つ放送番組の場合、当該情報はコンポーネント記述子の「text_char」にて定義できる。例えば初期表示領域の開始座標をx、yとし、表示領域サイズをw、hとし、それぞれを２バイト（Byte）で定義し、これらが連続で記述されるものとする。
【００１５】
図３（ａ）は全体領域の映像例を示し、図３（ｂ）は図３（ａ）の映像の一部分である部分領域の映像例を示す。図３（ａ）のＸ軸が画面の水平方向に設定され、Ｙ軸が画面の垂直方向に設定されている。本例の全体領域は、x=1、y=１、w=7680、h=4320である。部分領域は、x=1921、y=1081、w=3840、h=2160であり、アスペクト比は16:9である。これらの１０進数の値を１６進数に変換したx=0x0781、y=0x0439、w=0x0F00、h=0x0870を連続させ、「text_char=078104390F000870」とすることで前記部分領域を定義できる。従って放送受信装置では、「text_char」の値を取得することにより特定される開始座標及び領域サイズの部分領域を再生できる。
【００１６】
説明を図１に戻すと、領域変更部１０６は制御部１０８からの領域変更に関する指示を受けて、映像再生部１０４から送られた映像の領域を変更する。さらに領域変更部１０６は表示部１０７での表示解像度に変更する。一例として、ＨＤ（High Definition Television）における1920*1080ピクセルの解像度をもつ表示部に部分領域を表示する場合について説明する。制御部１０８は、図３（ｂ）に示すw=3840、h=2160からw=1920、h=1080への解像度変換を行う。
【００１７】
描画部１０９は、表示部１０７の解像度情報を入手し、制御部１０８からのバナーの表示指示に従ってバナーを作成してその表示用信号を合成部１１０に送る。また、描画部１０９は、制御部１０８からのバナーの消去指示に従って表示画面からバナーを消去する。バナーの一例を図４（ａ）に示す。再生映像の番組内容表示バナーは、表示部１０７の解像度に合わせたx=1、y=721、w=1920、h=360の領域情報を有する。
【００１８】
合成部１１０は、領域変更部１０６と描画部１０９から送られてくる映像とバナーを合成し、合成映像の信号を表示部１０７に送る。図４（ｂ）は、図３（ｂ）の映像を解像度変換した映像と、図４（ａ）のバナーとを、従来技術に従って単純に再生中の映像に重ねた合成映像を示す。すなわち、映像の一部分（本例ではＵＦＯの映像）がバナーに隠されたために見えなくなってしまっている例である。そこで、本実施形態に係る装置は、表示対象の映像がバナーによって支障を来たすことなく表示できるように制御を行う。なお、その詳細については後述する。
【００１９】
再生領域記憶部１１１は、制御部１０８からの指示により、バナー表示前の再生領域の情報を記憶する。例えばバナー表示前に、図３（ｂ）に示す部分領域を再生していれば、バナーの表示指示の際、再生領域記憶部１１１は、x=1921、y=1081、w=3840、h=2160の各情報を記憶する。
【００２０】
次に図５のフローチャートを用いて、制御部１０８の動作を詳しく説明する。ステップＳ８０１乃至８１６の処理に関して、制御部１０８は放送受信装置の起動時に制御を開始し、放送受信装置の動作終了と共に制御を終了する。
【００２１】
Ｓ８０１での開始後、Ｓ８０２にて制御部１０８は、図示しないリモコンによるユーザからのバナー表示指示の有無を判断する。その結果、制御部１０８は、バナー表示指示があったと判断した場合、再生中の番組情報の抽出をメタデータ処理部１０５に指示し、Ｓ８０３に進む。またバナー表示指示がないと判断された場合、Ｓ８０２の判定処理を繰り返す。
【００２２】
Ｓ８０３では、制御部１０８がメタデータ処理部１０５から、描画部１０９で必要な映像内容の情報と、全体領域の情報、部分領域の情報を抽出する。ここで得た部分領域がおすすめ画角に相当する。さらに、制御部１０８はバナー表示を指示した場合に表示されるバナーの領域情報を、描画部１０９から入手する。なお、表示される映像内容の情報は、例えばEIT内に含まれる番組に関する情報であるが、ここでは詳しく説明しない。
【００２３】
次に、バナー表示処理Ｓ８０４乃至８０７について説明する。Ｓ８０４にて制御部１０８は、領域変更部１０６に指示している領域が全体領域であるか否かを判断する。対象領域が全体領域でないと判断された場合、Ｓ８０５に進むが、対象領域が全体領域であると判断された場合にはＳ８０７に進む。
【００２４】
Ｓ８０５にて制御部１０８は、領域変更部１０６に指示している現在の表示画角の情報を再生領域記憶部１１１に記憶させる。次のＳ８０６にて制御部１０８は、再生映像の領域とバナーが重ならない映像の領域を導出し、領域変更部１０６に対して、導出した領域を指示する。例えば、図３（ｂ）、図４、図６（ａ）、図６（ｂ）を用いて説明すると、以下のように処理が行われる。
【００２５】
制御部１０８は表示部１０７に図４（ｂ）の映像ではなく、図６（ｂ）の映像を表示するために、領域変更部１０６に指示していた領域情報を、図３（ｂ）の領域を示す情報から、図６（ａ）の領域を示す情報に変更するように指示する。なお、図６（ａ）にて点線で囲んだ領域は変更前の領域、つまり図３（ｂ）に相当する領域を示し、全体の枠内に示す領域は変更後の領域を表している。
【００２６】
次に図６（ａ）に示す、変更後の領域を導出する方法について説明する。まず、表示部１０７にバナーを表示したときに、映像をバナーと重ならずに表示できる領域の導出処理が行われる。例えば、表示部１０７の表示領域を、座標(1,1)と座標(1920,1080)で囲まれる矩形状の領域（以下、領域（１）という）とする。そして、描画部１０９から入手したバナー領域の情報を、図４（ａ）の領域に示すように、座標(1,721)と座標(1920,1080)で囲まれる矩形状の領域とする。この場合、バナーに重ならずに映像を表示できる領域は、座標(1,1)と座標(1920,720)で囲まれる領域（以下、領域（２）という）として求まる。
【００２７】
そして、バナーの表示前に表示していた領域（１）の映像を領域（２）に表示するための解像度変換率を求める処理が行われる。ここで領域（１）の横幅をw1、縦幅をh1とし、領域（２）の横幅をw2、縦幅をh2と定義する。アスペクト比を維持したまま領域（１）の映像を領域（２）において表示する場合、w2/w1又はh2/h1のどちらか小さいほうに合わせて領域（１）の解像度をさらに変更すればよいことが分かる。以下、この変更率をRと記すことにする。
【００２８】
ところで、解像度の変更だけでは周囲の映像（本例では家屋の映像）が表示されないため、さらに制御部１０８は領域変更部１０６に対して変更指示する領域を導出する必要がある。周囲の映像を表示するためには、領域（１）の全体に亘って映像表示することを要する。よって、バナーの表示前に表示していた映像の領域を1/R倍することで、周囲の映像を表示できる領域が導出される。本例では、領域変更部１０６に指示されていた、バナー表示前の表示映像の領域を示す情報は、図３（ｂ）に示すように左下隅の座標(1921,1081)と右上隅の座標(5760,3240)である。領域（１）及び領域（２）の情報からw2/w1=1920/1920=1とh2/h1=720/1080=2/3が得られ、それらのうち、小さい方の比率からR=2/3が求まるので、この値に従って変更後の領域を導出できる。図６（ａ）に示す２つの矢印は画角の変更を意味し、点線枠内の領域がバナーの領域に重ならないように、座標(1921,1081)、座標(5760,3240)をもつ領域の画角を1/R倍に変更する。これにより、座標(961,1081)と座標(6720,4320)をもつ領域が導出される（アスペクト比16:9）。そして、この領域の情報と変更率Rの値が領域変更部１０６に指示される。
【００２９】
図５のＳ８０７では、制御部１０８が描画部１０９にバナーを表示するように指示する。これによって、解像度変換後の図６（ｂ）に示すようにバナーとともに表示される領域、つまり左下隅の座標(1,1)と右上隅の座標(1920,720)をもつ矩形状の領域内に重要な部分を含む映像が表示される。なお、Ｓ８０４で全体領域が再生中であると判断された場合、制御部１０８はそのままバナーを映像に重ねるよう表示領域の制御を行う。
【００３０】
次に、バナー表示の終了処理Ｓ８０８、Ｓ８０９について説明する。Ｓ８０８では、制御部１０８がユーザの操作又はシステム処理によるバナー表示の終了指示が行われたか否かを判断する。その結果、バナー表示の終了指示が行われたと判断された場合、Ｓ８０９に進むが、そうでない場合にはＳ８１０に進む。
【００３１】
Ｓ８０９では、制御部１０８が、描画部１０９によるバナーの表示処理を終了させ、再生領域記憶部１１１から領域情報を読み出し、読み出した領域情報を領域変更部１０６に指示する。つまり、表示部１０７での表示は、バナー表示前の画角がおすすめ画角であった場合、バナー表示の終了後、現時点のおすすめ画角に戻る。そしてＳ８１６に移行して処理が終了する。
【００３２】
次に、Ｓ８１０乃至８１５にて、バナーが非表示となる前に、おすすめ画角が変更されるか、又はユーザ画角への変更が行われた場合の処理を説明する。Ｓ８１０では、制御部１０８が図示しないリモコンを用いたユーザからの操作指示に関し、表示中の領域（表示画角）を変更する指示が行われたか否かを判断する。その結果、制御部１０８がユーザからの表示領域の変更指示が無いと判断した場合、Ｓ８１１に進む。また、制御部１０８がユーザからの表示領域の変更指示があったと判断した場合、Ｓ８１２に進む。
【００３３】
Ｓ８１１で制御部１０８は、さらに現在の表示画角がユーザ画角であるか否かを判断する。その結果、表示画角がユーザ画角であると判断された場合、映像領域の変更は無いとし、制御部１０８はバナー表示処理が継続されると判断するとＳ８０８に戻り、表示変更に応じた処理を行うべく判断が続けられる。
【００３４】
Ｓ８１０でユーザの指示により領域が変更されたと判断された場合、Ｓ８１２に進み、制御部１０８は、ユーザ画角の情報を再生領域記憶部１１１に記憶させると共に、領域変更部１０６に対してユーザ画角に変更する指示を行う。その後、Ｓ８０８に戻る。
【００３５】
Ｓ８１１で、ユーザ画角での表示中でないと判断された場合、Ｓ８１３に進む。ここで制御部１０８は、メタデータ処理部１０５から、最新のおすすめ画角の情報を入手する。そしてＳ８１４にて、制御部１０８は再生領域記憶部１１１に対し、これまでの領域に代わって、更新されたおすすめ画角の情報を記憶させる。次のＳ８１５では、前記Ｓ８０６での処理と同様に、制御部１０８はバナーに重ならない映像の基準を、更新されたおすすめ画角に変更し、変更指示する映像の領域を導出する。この導出する領域については、全体領域の内側（境界の内部）とするように処理を行い、領域変更部１０６に対して、導出した領域への変更指示が行われる。その後、Ｓ８０８に戻る。
【００３６】
本実施形態では、部分領域を持つ映像コンテンツの一例として、高度衛星デジタル放送番組について説明した。本発明の適用上はこれに限らず、地上デジタル放送やＣＡＴＶ放送、ＩＰ通信を用いた放送、ブルーレイディスク等に保存される蓄積コンテンツであっても、前述のメタデータを用いておすすめ画角を入手できる。また、おすすめ画角の一例として前述のメタデータを用いて入手した部分領域の情報を使ったが、ユーザにより指定された全体映像の一部分の領域を用いても前記と同様の処理が可能である。
【００３７】
また本実施形態において、領域変更部１０６に指示する領域の導出方法の一例として、制御部１０８が再生映像領域のアスペクト比を維持する方法を説明した。これに限らず、アスペクト比を変更する処理であっても重要な映像にバナーが重ならない表示を実現できる。例えば、制御部１０８は縦方向にはバナーに重ならないように再生映像領域を変更するが、横方向には現在の映像について解像度変換を施し、表示部１０７の表示を横に伸びた映像表示にしてもよい。また、全体領域の表示中にバナー表示を行う場合、制御部１０８が表示中の映像にバナーを重ねる例を挙げたが、同様に、バナーに重ならないようにアスペクト比を維持せずに解像度変換を行うこともできる。本実施形態において、領域変更部１０６に指示する領域の導出方法として、制御部１０８が再生映像領域をバナーに重なる上方向に拡大するように指示するものとして説明した。しかし、横方向のサイズについては、変更前の領域、つまり図３（ｂ）に示す座標(1921,1081)と座標(5760,3240)で規定される領域がバナーに重ならなければ自由に変更してよい。例えば、制御部１０８は変更後の領域、座標(1,1081)と座標(5760,4320)で規定される領域を全体領域内で変更させ、表示領域に何も表示されない領域が生じないように表示制御を実現できる。
【００３８】
前記説明では、表示対象とされる第一の映像に対して合成される第二の映像としてバナーを表示する例を挙げたが、バナーの代わりに、メニュー（ＧＵＩ等を含む）、絵、記号等による通知用映像であっても同様の処理が可能なことは勿論である。また、第二の映像が、デジタルテレビジョン放送番組や外部入力端子から入力される映像であり、ＰｉｎＰ(Picture in Picture)により同一画面上に同時表示される場合であってもよい。
【００３９】
以上のように、バナー等を映像と合成して表示した場合であっても、現在表示中の重要な映像にバナー等が重なり合わないよう、再生映像領域を変えることで、ユーザが重要な映像を見逃さないように防止できる。さらには、バナー等の表示中におすすめ画角、又はユーザ画角が変更された場合であっても、再生中の表示を最新のおすすめ画角、又はユーザ画角に変更することで、ユーザにとって重要な映像を視聴し続けることができる。
【００４０】
以下、本発明の第２実施形態について図７乃至９を参照して説明する。第２実施形態において放送受信装置の構成例は図１と同じであり、以下では制御部１０８の処理に関して第１実施形態との相違点を中心に説明する。第２実施形態では、第１実施形態に係る図５のフローチャートにおけるＳ８０４乃至８０６の処理について他の制御例を示す。つまり、おすすめ画角とバナーが重ならないように領域を変更する制御と、表示領域に映像の欠落した領域が生じないようにするための制御の一例を説明する。
【００４１】
第１実施形態に係る図５のフローチャートにおいて、Ｓ８０４乃至８０６に関する制御部１０８の別例について、図７のフローチャートを用いて詳説する。Ｓ１１０１での開始後、Ｓ１１０２では、制御部１０８が領域変更部１０６に指示している領域の情報を、再生領域記憶部１１１に記憶させる。次のＳ１１０３にて制御部１０８は、領域変更部１０６に指示している領域が全体領域であるか否かを判断する。その結果、領域変更部１０６に指示している領域が全体領域であると判断された場合、後述のＳ１１０６に進む。一方、おすすめ画角で映像が表示されている場合、Ｓ１１０４に進む。
【００４２】
Ｓ１１０４では、第１実施形態において説明したＳ８０６での処理と同様、制御部１０８は領域の導出処理を行い、領域変更部１０６に対して、導出した領域への変更を指示する。次のＳ１１０５にて、制御部１０８は導出した領域が全体領域よりも広い領域であるか否かを判断する。その結果、導出した領域が全体領域よりも広いと判断された場合には後述のＳ１１０７に進むが、そうでなければＳ１１０８に進んで処理が終了する。
【００４３】
Ｓ１１０６にて制御部１０８は、おすすめ画角の情報を入手しているか否かを判断する。その結果、おすすめ画角の情報を入手していないと制御部１０８が判断した場合、Ｓ１１０８に進み、制御部１０８は、領域変更部１０６に対して領域変更指示をせず制御を終了する。また、制御部１０８がおすすめ画角の領域を部分領域として入手していると判断した場合、又は前記Ｓ１１０５で肯定的な判定結果、つまり導出された領域が全体領域より広いと判断された場合、Ｓ１１０７に進む。
【００４４】
Ｓ１１０７にて制御部１０８は、バナーに重ならない映像の基準を変更する。例えば、制御部１０８は、前記映像の基準を表示部１０７に表示していた映像から、おすすめ画角に変更する。さらに制御部１０８は、変更指示する映像の領域を、全体領域の境界の内側（内部領域）にて導出し、領域変更部１０６に対し、導出した領域への変更を指示する。その後、Ｓ１１０８に移行して処理が終了する。
【００４５】
以上に説明した処理について、図８及び図９に示す具体例を挙げて説明する。図８（ａ）は、表示部１０７に表示されている全体映像、つまり左下隅の座標(1,1)と右上隅の座標(7680,4320)で規定される領域内の映像を示しており、点線で囲んだ領域がおすすめ画角に相当する。図８（ｂ）は、バナーが表示されたときに、おすすめ画角がバナーに重ならず、且つおすすめ画角を中心として導出した領域を示す。図８（ｂ）の領域は左下隅の座標(-959,1)と右上隅の座標(4800,3240)とで規定される矩形状の領域であり、黒塗りの範囲は映像の欠落領域を表している。図８（ｃ）は、図８（ｂ）の領域が領域変更部１０６に指示され、解像度変換の後、バナーとともに表示部１０７に表示された映像例を示す。表示部１０７に映像の欠落領域が表示されてしまうことが問題となる。そこで、このような映像が欠落した領域を考慮し、表示部１０７の全ての表示領域に映像を表示する方法を以下に説明する。
【００４６】
図９（ａ）は、バナーが表示されたときに、おすすめ画角の映像がバナーに重ならず、且つおすすめ画角の領域を左下隅に配置することで、映像の欠落領域が生じないように導出した領域を示す。図８（ｂ）の領域は左下隅の座標(-959,1)と右上隅の座標(4800,3240)をもち、全体領域は図８（ａ）に示すように、左下隅の座標(1,1)と右上隅の座標(7680,4320)をもつ。両者を比較すれば、座標(-959,1)と座標(0,3240)で囲まれた領域だけ、映像の無い領域が全体領域の外側に位置することがわかる。従って、図８（ｂ）の領域をＸ軸方向（水平方向）に960ピクセルだけ、ずらせばよく、これにより、オフセットした領域である図９（ａ）の領域が求まる。つまり、該領域はその左下隅の座標(1,1)と右上隅の座標(5760,3240)をもつ。このように、制御部１０８は第１実施形態で説明した領域の導出方法に加え、変更する領域の座標が全体領域内の位置であることを確認し、バナーに重ならない領域を導出する。変更する領域の座標が全体領域外であった場合、制御部１０８は、第１実施形態で説明したアスペクト比を維持しない導出方法を用いることで、表示部１０７の全ての表示領域に映像を表示することができる。
【００４７】
図９（ｂ）は、図９（ａ）の領域を制御部１０８が領域変更部１０６に指示し、解像度変換の後、バナーとともに表示部１０７に表示した映像例を示す。前記導出処理によって図８（ｃ）に示したような映像の無い領域の発生を防止できる。
【００４８】
このように第２実施形態によれば、第１実施形態の効果に加え、変更する領域についてその最大限の範囲を全体領域内とすることで、表示装置の表示領域全体に亘って映像を表示できる。これにより、映像の欠落領域に対してユーザが抱く違和感を軽減することができる。さらには、対象領域を全体領域に変更してもバナーが再生中の映像に重なり合い、しかも再生中の映像領域がおすすめ画角を含む場合、少なくともバナーがおすすめ画角に重ならないように再生中の映像領域を変更することが望ましい。これにより再生中の違和感を軽減することができる。
【００４９】
以上、本発明の好ましい実施形態について説明したが、本発明はこれらの実施形態に限定されず、その要旨の範囲内で種々の変形及び変更が可能である。
【符号の説明】
【００５０】
１０１  アンテナ
１０２  情報入手部
１０３  信号分離部
１０４  映像再生部
１０５  メタデータ処理部
１０６  領域変更部
１０７  表示部
１０８  制御部
１０９  描画部
１１０  合成部
１１１  再生領域記憶部
【図１】
2010245863.tif 000003
【図２】
2010245863.tif 000004
【図３】
2010245863.tif 000005
【図４】
2010245863.tif 000006
【図５】
2010245863.tif 000007
【図６】
2010245863.tif 000008
【図７】
2010245863.tif 000009
【図８】
2010245863.tif 000010
【図９】
2010245863.tif 000011